【手続補正書】
【提出日】平成18年8月28日(2006.8.28)
【手続補正１】
【補正対象書類名】明細書
【補正対象項目名】特許請求の範囲
【補正方法】変更
【補正の内容】
【特許請求の範囲】
【請求項１】  陰圧をカテーテルのルーメンにかけることにより患者の気道から流体を除去するよう構成されたカテーテルと、
換気回路を構成していて、カテーテルを換気回路中に前進させて患者の気道内へ送り進めることができるようカテーテルと連通状態にあるマニホルドと、
リングに対して回動するようにマニホルド内に配置された弁とを有し、弁は、環状リングにヒンジ可能に取り付けられたフラップであり、換気回路からの空気の抜出しを選択的に制限するように構成されており、弁は、カテーテルを通じての吸引により作動され、弁は、開放位置と閉鎖位置とを有し、弁は、弁を閉鎖位置に摩擦維持するための手段を有し、該手段は、フラップを保持し、且つ弁を閉鎖位置に維持するように配置されたキャッチを有する、
ことを特徴とする気管内吸引カテーテル装置。
【請求項２】  キャッチは、マニホルドの内側に配置され、且つフラップが移動してキャッチを過ぎるとき、フラップに係合する、請求項１に記載の気管内吸引カテーテル装置。
【請求項３】  キャッチは、フラップ上に配置される、請求項１に記載の気管内吸引カテーテル装置。
【請求項４】  カテーテルの末端側端部は、キャッチに係合するような構成とする、請求項３に記載の気管内吸引カテーテル装置。
【請求項５】  陰圧をカテーテルのルーメンにかけることにより患者の気道から流体を除去するよう構成されたカテーテルと、
換気回路を構成していて、カテーテルを換気回路中に前進させて患者の気道内へ送り進めることができるようカテーテルと連通状態にあるマニホルドと、
リングに対して回動するようにマニホルド内に配置された弁とを有し、弁は、環状リングにヒンジ可能に取り付けられたフラップであり、換気回路からの空気の抜出しを選択的に制限するように構成されており、弁は、カテーテルを通じての吸引により作動され、弁は、開放位置と閉鎖位置とを有し、弁は、弁を閉鎖位置に摩擦維持するための手段を有し、弁は、オリフィスを有し、フラップは、オリフィスを選択的に覆うように配置される、
ことを特徴とする気管内吸引カテーテル装置。
【請求項６】  マニホルド内に配置されたカラーをさらに有し、オリフィスは、カラー内に形成される、請求項５に記載の気管内吸引カテーテル装置。
【請求項７】  カラーは、液体をカラー内に注入するためのポートを有する、請求項６に記載の気管内吸引カテーテル装置。
【請求項８】  末端側端部を備えた細長いカテーテルと、換気回路の一部を構成していて、カテーテルを換気回路中に前進させて患者の気道内へ送り進めることができるようカテーテルと連通状態にあるマニホルドと、
開放位置と閉鎖位置との間で回動可能であり、カテーテルに隣接して設けられていて、カテーテルをマニホルド内で換気回路から選択的に隔離するフラップを備えた自動閉鎖形弁部材を有し、該自動閉鎖形弁部材は、該自動閉鎖形弁部材がカテーテルのマニホルド中の前進を可能にする開放位置と、該自動閉鎖形弁部材がカテーテルを換気回路から隔離する閉鎖位置との間で可動であり、該自動閉鎖形弁部材は、閉鎖位置内で付勢され、フラップは閉鎖位置に向かって付勢され、
該自動閉鎖形弁部材はさらに、フラップを閉鎖位置に保持するためのロック手段を有する、
ことを特徴とする気管内吸引カテーテル装置。
【請求項９】  ロック部材は、キャッチを有する、請求項８に記載の気管内吸引カテーテル装置。
【請求項１０】  末端側端部を備えた細長いカテーテルと、換気回路の一部を構成していて、カテーテルを換気回路中に前進させて患者の気道内へ送り進めることができるようカテーテルと連通状態にあるマニホルドと、
開放位置と閉鎖位置との間で回動可能であり、カテーテルに隣接して設けられていて、カテーテルをマニホルド内で換気回路から選択的に隔離するフラップを備えた自動閉鎖形弁部材を有し、
該自動閉鎖形弁部材はさらに、フラップをカテーテルの末端側端部と摩擦係合状態に保持するための手段を有し、フラップはカテーテルの末端側端部を少なくとも部分的に閉塞するような構成とする、
ことを特徴とする気管内吸引カテーテル装置。
【請求項１１】  末端側端部を備えた細長いカテーテルと、換気回路の一部を構成していて、カテーテルを換気回路中に前進させて患者の気道内へ送り進めることができるようカテーテルと連通状態にあるマニホルドと、
開放位置と閉鎖位置との間で回動可能であり、カテーテルに隣接して設けられていて、カテーテルをマニホルド内で換気回路から選択的に隔離するフラップを備えた自動閉鎖形弁部材を有し、
該自動閉鎖形弁部材はさらに、貫通ボアを有するカラーを有し、フラップはカラーに選択的に係合して、貫通ボアを選択的に覆うような構成とする、
ことを特徴とする気管内吸引カテーテル装置。
【請求項１２】  末端側端部を備えた細長いカテーテルと、換気回路の一部を構成していて、カテーテルを換気回路中に前進させて患者の気道内へ送り進めることができるようカテーテルと連通状態にあるマニホルドと、
開放位置と閉鎖位置との間で回動可能であり、カテーテルに隣接して設けられていて、カテーテルをマニホルド内で換気回路から選択的に隔離するフラップを備えた自動閉鎖形弁部材と、
マニホルドを通じて引っ込められるときにカテーテルに係合するように配置された第１及び第２のワイパーシールであって、第１のワイパーシールが第２のワイパーシールから末端側に配置されている第１及び第２のワイパーシールとを有する、
ことを特徴とする気管内吸引カテーテル装置。
【請求項１３】  カテーテルは、マニホルドを通して引込み可能であり、カテーテルの末端側端部は、第１のワイパーシールと第２のワイパーシールとの間に配置される、請求項１２に記載の気管内吸引カテーテル装置。
【請求項１４】  クリーニング室をカテーテル上に解放するように配置された洗浄ポートを有し、洗浄ポートは、第１のワイパーシールから末端側に配置される、請求項１３に記載の気管内吸引カテーテル装置。
【請求項１５】  末端側端部を有し、患者の気道から分泌物を吸引するよう構成されたカテーテルと、
カテーテルと連通状態に配置された換気マニホルドであって、カテーテルを換気マニホルド中を前進させて患者の気道内へ送り進め、且つカテーテルを患者の気道から換気マニホルド中を抜出することが可能な換気マニホルドと、
カテーテルの末端側端部を少なくとも部分的に閉塞するために、換気マニホルド内に配置された回動可能なフラップを有する弁であって、末端側端部に摩擦係合して、それにより末端側端部を閉塞するような構成とする弁とを有し、
フラップは、カテーテルの末端側端部に摩擦係合して、フラップをカテーテルに対して保持するような構成とする少なくとも１つのキャッチを有する、
ことを特徴とする気管内吸引カテーテル装置。
【請求項１６】  末端側端部を有し、患者の気道から分泌物を吸引するよう構成されたカテーテルと、
カテーテルと連通状態に配置された換気マニホルドであって、カテーテルを換気マニホルド中を前進させて患者の気道内へ送り進め、且つカテーテルを患者の気道から換気マニホルド中を抜出することが可能な換気マニホルドと、
カテーテルの末端側端部を少なくとも部分的に閉塞するために、換気マニホルド内に配置された回動可能なフラップを有する弁であって、末端側端部に摩擦係合して、それにより末端側端部を閉塞するような構成とする弁とを有し、
フラップは、カテーテルの末端側端部に摩擦係合して、フラップをカテーテルに対して保持するような構成とする少なくとも１つの突起を有する、
ことを特徴とする気管内吸引カテーテル装置。
【請求項１７】  末端側端部を有し、患者の気道から分泌物を吸引するよう構成されたカテーテルと、
カテーテルと連通状態に配置された換気マニホルドであって、カテーテルを換気マニホルド中を前進させて患者の気道内へ送り進め、且つカテーテルを患者の気道から換気マニホルド中を抜出することが可能な換気マニホルドと、
カテーテルの末端側端部を少なくとも部分的に閉塞するために、換気マニホルド内に配置された回動可能なフラップを有する弁であって、末端側端部に摩擦係合して、それにより末端側端部を閉塞するような構成とする弁と、
カテーテルをマニホルド内に前進させるとき、カテーテルのまわりに配置される第１及び第２のワイパーシールとを有する、
ことを特徴とする気管内吸引カテーテル装置。
【請求項１８】  カテーテルは、カテーテルの末端側端部が第１のワイパーシールから基端側に、且つ第２のワイパーシールから末端端側に配置されるように引込み可能である、請求項１７に記載の気管内吸引カテーテル装置。
【請求項１９】  末端側端部を有するカテーテルと、
カテーテルと連通状態に配置されたマニホルドであって、カテーテルをマニホルド中を前進させて患者の気道内へ送り進めることが可能なマニホルドと、
カテーテルの末端側端部に摩擦係合して、末端側端部を通じての吸引を閉塞するような構成とする、開放位置と閉鎖位置との間で回動可能なフラップ弁とを有し、
弁は、末端側及び基端側に可動であり、弁の末端側への移動を選択的に制限するためのロック機構をさらに有する、
ことを特徴とする気管内吸引カテーテル装置。
【請求項２０】  ロック機構は、マニホルド内に配置されたキャッチを有する、請求項１９に記載の気管内吸引カテーテル装置。
【請求項２１】  末端側端部を有するカテーテルと、
カテーテルと連通状態に配置されたマニホルドであって、カテーテルをマニホルド中を前進させて患者の気道内へ送り進めることが可能なマニホルドと、
カテーテルの末端側端部に摩擦係合して、末端側端部を通じての吸引を閉塞するような構成とする、開放位置と閉鎖位置との間で回動可能なフラップ弁とを有し、フラップ弁は、マニホルド内で回動可能に配置されたフラップを有し、フラップは、開口を有する、
ことを特徴とする気管内吸引カテーテル装置。
【請求項２２】  末端側端部を有するカテーテルと、
カテーテルと連通状態に配置されたマニホルドであって、カテーテルをマニホルド中を前進させて患者の気道内へ送り進めることが可能なマニホルドと、
カテーテルの末端側端部に摩擦係合して、末端側端部を通じての吸引を閉塞するような構成とする、開放位置と閉鎖位置との間で回動可能なフラップ弁とを有し、フラップ弁は、マニホルド内に配置され、
さらに、投薬位置から開放位置までのフラップ弁の動きを選択的に阻止するための手段をマニホルド内に有する、
ことを特徴とする気管内吸引カテーテル装置。
【請求項２３】  ロック手段は、マニホルド内に配置され、且つフラップの末端側運動を選択的に阻止するように位置決めされた突起を有する、請求項２２に記載の気管内吸引カテーテル装置。
【請求項２４】  末端側端部を有するカテーテルと、
カテーテルと連通状態に配置されたマニホルドであって、カテーテルをマニホルド中を前進させて患者の気道内へ送り進めることが可能なマニホルドと、
カテーテルの末端側端部に摩擦係合して、末端側端部を通じての吸引を閉塞するような構成とする、開放位置と閉鎖位置との間で回動可能なフラップ弁とを有し、フラップ弁は、マニホルド内に配置されたリングと、リングに対して回動可能に取り付けられたフラップとを有し、フラップは、カテーテルに係合するように配置されて、マニホルドを通じて前進されて、フラップ弁を形成し、
リングに取り付けられ、そこから内方に延びて、フラップに選択的に係合する突起であって、開放した末端位置から閉鎖した基端位置までのフラップの運動を可能にするが、閉鎖した基端位置から開放した末端位置までのフラップの運動を阻止する突起をさらに有し、
突起は、フラップに係合して、フラップを閉鎖位置に保持するような構成とするキャッチを有する、
ことを特徴とする気管内吸引カテーテル装置。
【請求項２５】  末端側端部を有するカテーテルと、
カテーテルと連通状態に配置されたマニホルドであって、カテーテルをマニホルド中を前進させて患者の気道内へ送り進めることが可能なマニホルドと、
カテーテルの末端側端部に摩擦係合して、末端側端部を通じての吸引を閉塞するような構成とする、開放位置と閉鎖位置との間で回動可能なフラップ弁であって、マニホルド内に配置されるフラップ弁と、
フラップ弁をカテーテルの末端側端部に対して保持するためのロック手段であって、フラップ弁上に配置されたキャッチを有するロック手段とを有する、
ことを特徴とする気管内吸引カテーテル装置。
【請求項２６】  ロック手段はさらに、キャッチを受けるために、カテーテル上に形成された溝を有する、請求項２５に記載の気管内吸引カテーテル装置。
【請求項２７】  末端側端部を有するカテーテルと、
カテーテルと連通状態に配置されたマニホルドであって、カテーテルをマニホルド中を前進させて患者の気道内へ送り進めることが可能なマニホルドと、
カテーテルの末端側端部に摩擦係合して、末端側端部を通じての吸引を閉塞するような構成とする、開放位置と閉鎖位置との間で回動可能なフラップ弁であって、マニホルド内に配置されるフラップ弁と、
フラップ弁をカテーテルの末端側端部に対して保持するためのロック手段であって、フラップ弁上に配置されたキャッチを有するロック手段とを有し、
ロック手段は、フラップから延びて、カテーテルと圧力嵌め結合を形成し、それによりフラップを閉鎖位置内に保持する突起を有する、
ことを特徴とする気管内吸引カテーテル装置。
【請求項２８】  末端側端部を有する、分泌物を吸引するための吸引カテーテルと、
カテーテルの基端側長手方向部分を包囲する保護スリーブと、
保護スリーブに連結され、且つ患者の気道と換気装置との間で流体連通する人工空気通路のハブに取り付けるためのマニホルドであって、呼吸ガスの吸気及び呼気を収容するための手段と、カテーテルのマニホルド中の前進及び引込みに適合するルーメンとを有するマニホルドと、
マニホルドに連結され、且つマニホルドに対して回動可能に可動であり、カテーテルの末端側端部に係合して、カテーテルを通じての吸引に応答して抜き出される空気の量を最小にするための弁であって、カテーテルの末端側端部を第１マニホルドルーメンから選択的に分離し、それによりカテーテルの末端側端部と第１マニホルドルーメンとの間の流体流れを実質的に除くように配置された回動可能なフラップを有する弁とを有し、
開口がフラップに設けられている、
ことを特徴とする呼吸吸引装置。
【請求項２９】  末端側端部を有する、分泌物を吸引するための吸引カテーテルと、
カテーテルの基端側長手方向部分を包囲する保護スリーブと、
保護スリーブに連結され、且つ患者の気道と換気装置との間で流体連通する人工空気通路のハブに取り付けるためのマニホルドであって、呼吸ガスの吸気及び呼気を収容するための手段と、カテーテルのマニホルド中の前進及び引込みに適合するルーメンとを有するマニホルドと、
マニホルドに連結され、且つマニホルドに対して回動可能に可動であり、カテーテルの末端側端部に係合して、カテーテルを通じての吸引に応答して抜き出される空気の量を最小にするための弁であって、カテーテルの末端側端部を第１マニホルドルーメンから選択的に分離し、それによりカテーテルの末端側端部と第１マニホルドルーメンとの間の流体流れを実質的に除くように配置された回動可能なフラップを有する弁と、
フラップの運動を選択的に阻止するために、フラップと連通して配置されたロック手段とを有する、
ことを特徴とする呼吸吸引装置。
【請求項３０】  ロック部材は、マニホルド内を内方に延びて、フラップに係合し、それによりフラップの運動を阻止する突起を有する、請求項２９に記載の呼吸吸引装置。
【請求項３１】  ロック部材は、フラップによって支持されたキャッチを有する、請求項２９に記載の呼吸吸引装置。
【請求項３２】  ロック部材は、フラップとカテーテルとの間で圧力嵌め結合関係を有する、請求項２９に記載の呼吸吸引装置。
【請求項３３】  患者への吸気及び患者からの呼気を送るような構成としたマニホルドと、
基端側端部と末端側端部とを有し、マニホルドを通じて前進可能な細長いカテーテルと、
マニホルドに隣接して配置されたクリーニング室であって、第１及び第２のワイパーシールを有し、第２のワイパーシールは、クリーニング室の基端側端部に配置され、第１のワイパーシールは、クリーニング室の末端側端部に配置されるクリーニング室とを有する、
ことを特徴とする患者からの分泌物を吸引するための呼吸吸引カテーテル装置。
【請求項３４】  クリーニング室はさらに、開放位置と閉鎖位置とを有する弁を有し、カテーテルの末端側端部がクリーニング室内に配置され、且つ弁が閉鎖位置にあるとき、弁は、カテーテルの末端側端部をマニホルドから実質的に隔離するように配置される、請求項３３に記載の呼吸吸引カテーテル装置。
【請求項３５】  弁は、クリーニング室の末端側端部を構成する、請求項３４に記載の呼吸吸引カテーテル装置。
【請求項３６】  クリーニング室と流体連通関係に配置された開口を有する洗浄ポートを有し、開口は、第１のワイパーシールから末端側に配置される、請求項３３に記載の呼吸吸引カテーテル装置。
【請求項３７】  クリーニング室は、マニホルド内に配置されたカラーを有する、請求項３３に記載の呼吸吸引カテーテル装置。
【請求項３８】  カラーは、中を通ってカテーテルが前進可能な貫通ボアと、ボアを選択的に覆うための回動可能なフラップとを有する、請求項３７に記載の呼吸吸引カテーテル装置。
【請求項３９】  第１のワイパーシールは、第１径を備えた開口を有し、第２のワイパーシールは、第２径を備えた開口を有し、第１径は、第２径より大きい請求項３３に記載の呼吸吸引カテーテル装置。
【請求項４０】  末端側端部を備えた細長いカテーテルと、
換気回路の一部を構成していて、カテーテルを換気回路中に前進させて患者の気道内へ送り進めることができるようカテーテルと連通状態にあるマニホルドと、
開放位置と閉鎖位置との間で回動可能であり、カテーテルに隣接して設けられていて、カテーテルをマニホルド内で換気回路から選択的に隔離するフラップを備えた自動閉鎖形弁部材とを有し、
該自動閉鎖形弁部材はさらに、フラップを閉鎖位置に維持するためのロック部材を有する、
ことを特徴とする気管内カテーテル装置。
【請求項４１】  ロック部材は、フランジである請求項４０に記載の気管内カテーテル装置。